(57)【要約】【課題】室内空間を仕切る襖に置き畳としての機能を付加することで、置き畳の収納スペースの確保を容易にし、かつ、収納後の置き畳を直ぐに取り出せるようにする。【解決手段】襖１０は、鴨居と敷居の間に設置可能な矩形の襖枠２と、この襖枠２の枠内空間Ｓを塞ぐ蓋板３とを有する。襖枠２の枠内空間Ｓには、畳床の表面に畳表を張り合わせてなる入れ子板４が着脱自在に嵌め込まれる。襖枠２に入れ子板４の嵌め込んだ状態では、襖枠２内で入れ子板４が起立姿勢に保たれて枠内空間Ｓを埋め、襖枠２から入れ子板４を取り出した状態では、入れ子板４が横倒し姿勢で床に敷かれて置き畳として使用可能になる。【選択図】図１
2011069119.tif 000002
【特許請求の範囲】
【請求項１】
鴨居と敷居の間に設置可能な矩形の襖枠と、
前記襖枠の枠内空間を塞ぐ蓋板と、
畳床の表面に畳表を張り合わせてなり、前記襖枠の枠内空間に着脱自在に嵌め込まれる入れ子板とを備え、
前記襖枠に前記入れ子板の嵌め込んだ状態では、前記襖枠内で前記入れ子板が起立姿勢に保たれて枠内空間を埋め、前記襖枠から前記入れ子板を取り出した状態では、前記入れ子板が横倒し姿勢で床に敷かれて置き畳として使用可能になるように構成したことを特徴とする畳機能付き襖。
【請求項２】
前記襖枠の上下ほぼ中間位置に枠内空間を上下に分ける架橋部を設けるともに、この架橋部を挟んで上下に開口する２カ所の枠内空間に、半畳サイズでほぼ方形に形成された一対の前記入れ子板をそれぞれ起立状態で収納してなる、請求項１記載の畳機能付き襖。
【請求項３】
前記襖枠の正面縁部に枠内空間の上下に向き合って延びる上部突出片および下部突出片を形成する一方、前記上部突出片と前記下部突出片との間の距離を前記入れ子板の上下寸法よりも短くなるように設定し、前記襖枠の枠内空間に前記入れ子板がけんどん構造によって嵌る、請求項１または２記載の畳機能付き襖。
【請求項４】
前記蓋板に面ファスナの一方の貼着シートを設けるともに、前記入れ子板に前記面ファスナの他方の貼着シートを設け、前記襖枠の枠内空間に前記入れ子板を起立姿勢で収納したとき、前記入れ子板と前記蓋板との隣接面で前記面ファスナの各貼着シートが着脱可能に貼り合わされる、請求項１または２記載の畳機能付き襖。
【請求項５】
前記襖枠の正面から内側面にかけての縁部に、手指を挿入可能な広さで開口する切り欠きを設ける、請求項１〜４のいずれか一項記載の畳機能付き襖。
【発明の詳細な説明】
【技術分野】
【０００１】
本発明は、戸襖や押入襖として用いるのに適した畳機能付き襖に関するものである。
【背景技術】
【０００２】
近年、住宅の床にフローリングが採用されることが多くなり、これに伴いフローリングの室内に置き畳を敷いて和風モダンな空間を作る住宅が増えている。畳のい草の香りが集中力や記憶力の向上に繋がるとの研究報告もあり、置き畳の利用法について建築分野でも種々の工夫がなされているところである。
【０００３】
このような置き畳は、室内の好みの場所に自在に設置することができる反面、床面を広く使用するときには置き畳が邪魔になることがある。このような場合、比較的サイズの大きな置き畳は、倉庫や押入に収納スペースを確保するのは難しく、結局、部屋の片隅に積み重ねておくようなことも多い。
また、一旦、押入や倉庫に置き畳を収納してしまうと、他の収納物が邪魔になって簡単には取り出せないといった事情もある。
【先行技術文献】
【特許文献】
【０００４】
【特許文献１】実開平２−１３７４８４号公報
【特許文献２】実用新案登録第３０４０４５４号公報
【特許文献３】実用新案登録第３０３０６４９号公報
【発明の概要】
【発明が解決しようとする課題】
【０００５】
本発明者は、このような現状に鑑み置き畳の収納手段について検討を重ね、建具としての襖に着目するに至った。襖は、室内空間を仕切るものであるが、置き畳に近い広さと厚さを有することから、襖自体の一部を置き畳として分離して利用すれば上記問題を解消しうるものとなる。
【０００６】
すなわち、本発明の目的は、室内空間を仕切る襖に置き畳としての機能を付加することで、置き畳の収納スペースの確保を容易にし、かつ、収納後の置き畳を直ぐに取り出せるようにした畳機能付き襖を提供することにある。
【課題を解決するための手段】
【０００７】
［第１発明］
前記課題を解決するための第１発明の畳機能付き襖は、
鴨居と敷居の間に設置可能な矩形の襖枠と、
前記襖枠の枠内空間を塞ぐ蓋板と、
畳床の表面に畳表を張り合わせてなり、前記襖枠の枠内空間に着脱自在に嵌め込まれる入れ子板とを備え、
前記襖枠に前記入れ子板の嵌め込んだ状態では、前記襖枠内で前記入れ子板が起立姿勢に保たれて枠内空間を埋め、前記襖枠から前記入れ子板を取り出した状態では、前記入れ子板が横倒し姿勢で床に敷かれて置き畳として使用可能になるように構成した。
【０００８】
このような構成によれば、室内に置き畳を敷くときには、襖枠から入れ子板を取り出し、その畳表を上に向けて横倒し姿勢で床に置く。これにより、入れ子板が置き畳となって室内に畳空間を形成することができる。襖枠は、入れ子板が取り出されてもその枠内空間が蓋板で塞がれるため、襖としての機能が損なわれることはない。
【０００９】
置き畳を片付ける場合には、入れ子板を起立姿勢に戻して襖枠の枠内空間に嵌め込む。これにより、入れ子板が襖の一部となって襖枠の枠内空間に収納される。
再度、室内に置き畳を敷くときには、襖枠から正面側に入れ子板を取り出せば直ぐに使用することができる。入れ子板を探す手間がなく、また、物置や押入のように他の収納物との干渉もないため、その出し入れ作業を極めて簡単に行うことができる。
このように本発明では、襖枠に着脱自在な入れ子板を置き畳として使用することで、置き畳の収納スペースを襖自体に確保することが可能となり、住空間を効率よく使用することができる。
【００１０】
なお、本発明に関連する襖の先行技術としては上記特許文献１〜３が公知である。
特許文献１には、襖の表面部に畳表を採用する技術が開示されており、特許文献２には、襖の外枠に絵紙の付いた中枠を自在に嵌め込む技術が開示されている。仮に、特許文献２の中枠の絵紙に特許文献１の畳表を採用すれば本発明に近い構成の襖となる。
【００１１】
しかしながら、特許文献１と２を組み合わせて得られる襖は、あくまで襖の表面装飾に畳表を採用したものであり、畳表を含む中枠は置き畳として使用されるものではない。引用文献１，２は、襖表面の装飾に関する技術思想であり、襖の一部を置き畳として使用するといった発想はない。
本発明の畳機能付き襖は、入れ子板が襖枠に収納されたときには、襖の一部を構成する板材となり、襖枠から取り出されたときには、置き畳として使用可能になるものであり、襖と置き畳の両方を機能を備えるものである。例え特許文献１と２とを組み合わせても本発明の技術思想に至るものではない。
【００１２】
［第２発明］
第２発明の畳機能付き襖は、第１発明の構成を備えるものであって、
前記襖枠の上下ほぼ中間位置に枠内空間を上下に分ける架橋部を設けるともに、この架橋部を挟んで上下に開口する２カ所の枠内空間に、半畳サイズでほぼ方形に形成された一対の前記入れ子板をそれぞれ起立状態で収納するように構成した。
【００１３】
一般に、襖の形状は縦長矩形に形成されるが、置き畳の形状は半畳サイズでほぼ方形に形成される。第２発明の構成によれば、襖枠の上下に２カ所の枠内空間が開口するため、これらの空間に一般的な置き畳と同様な形状の入れ子板を効率よく収納することができる。
また、上下の枠内空間にそれぞれ一枚ずつ入れ子板が嵌まるため、各入れ子板の収納状態を安定させることができる。
【００１４】
［第３発明］
第１発明および第２発明において、襖枠に入れ子板を収納する場合、襖枠の内側に入れ子板を適度な力で押し込めるように両者の寸法を調整することが考えられる。
しかしながら、上記のように襖枠に入れ子板を押し込んだまま襖を使用していると、開閉時の衝撃などで入れ子板が正面側にズレて襖枠から脱落するおそれがある。
襖枠に入れ子板を収納する手段としては、襖の使用時に入れ子板の脱落を防止し、かつ、入れ子板の出し入れを簡単する工夫が重要である。
【００１５】
そこで、第３発明の畳機能付き襖は、第１発明または第２発明の構成を備えるものであって、
前記襖枠の正面縁部に枠内空間の上下に向き合って延びる上部突出片および下部突出片を形成する一方、前記上部突出片と前記下部突出片との間の距離を前記入れ子板の上下寸法よりも短くなるように設定し、前記襖枠の枠内空間に前記入れ子板がけんどん構造によって嵌るように構成した。
【００１６】
このような構成によれば、襖枠に入れ子板を収納するとき、入れ子板の上端を枠内空間に入れて上部突出片の内側に差し込み、そのまま持ち上げて入れ子板を枠内に入れる。この状態で入れ子板の下端を下部突出片の内側に落とし込む。
襖枠から入れ子板を取り出すときは、入れ子板を枠内空間で一旦持ち上げて、入れ子板の下端を下部突出片の内側から抜き出す。次いで、入れ子板の上端を上部突出片の内側から下方に抜き出す。
【００１７】
このように第３発明の構成では、襖枠に入れ子板をけんどん構造で収納することで、入れ子板の出し入れを極めて簡単にすることができる。
また、上部突出片および下部突出片が入れ子板の正面側への飛び出しを防止するため、襖の使用時に襖枠から入れ子板がズレて脱落する心配がなく、襖を快適に使用することができる。
【００１８】
［第４発明］
また、襖枠から入れ子板が脱落するのを防止する手段としては、下記の第４発明の構成を採用するようにしてもよい。
【００１９】
すなわち、第４発明の畳機能付き襖は、第１発明または第２発明の構成を備えるものであって、
前記蓋板に面ファスナの一方の貼着シートを設けるともに、前記入れ子板に前記面ファスナの他方の貼着シートを設け、前記襖枠の枠内空間に前記入れ子板を起立姿勢で収納したとき、前記入れ子板と前記蓋板との隣接面で前記面ファスナの各貼着シートが着脱可能に貼り合わされるように構成した。
【００２０】
このような構成によれば、襖枠の枠内空間で入れ子板が面ファスナにより蓋板に貼り付くことで、入れ子板が襖枠から脱落するのを防止することができる。
また、襖枠に入れ子板を押し込む動作と、襖枠から入れ子板を引き出す動作に伴って面ファスナの各貼着シートが着脱されるため、入れ子板の出し入れも簡単に行える。
【００２１】
さらに、第４発明の構成では、第３発明のように、襖枠の枠内空間を遮る部材（上部突出片および下部突出片）が存在しない。これにより、襖枠の枠内空間を入れ子板の収納スペースとして最大限に利用することができ、第３発明よりも入れ子板のサイズを相対的に大きくすることが可能になる。
【００２２】
［第５発明］
第５発明の畳機能付き襖は、第１発明〜第４発明の構成を備えるものであって、
前記襖枠の正面から内側面にかけての縁部に、手指を挿入可能な広さで開口する切り欠きを設ける構成とした。
【００２３】
襖枠に入れ子板を収納する場合、入れ子板が襖枠の正面側にはみ出た位置にあれば、このはみ出た部分を掴むことで入れ子板の出し入れに困ることはない。ところが、襖枠の深さの範囲に入れ子板が嵌り込むと、入れ子板を掴めずにその出し入れが困難になることが起こりうる。
【００２４】
第５発明の構成によれば、襖枠の正面から内側面にかけての縁部に手指を挿入可能な切り欠きが設けられるため、襖枠の深さの範囲に入れ子板が嵌り込んでも、この切り欠きに手指を入れて入れ子板の側端部を掴むことができる。これにより入れ子板の出し入れ作業を容易に行うことができる。
なお、第３発明のけんどん構造を採用する場合には、前記切り欠きを襖枠の左右に配置することで入れ子板を持ち上げやすくすることができる。これらの切り欠きは、左右ほぼ均等な高さで、入れ子板を出し入れ可能な上下幅に設定すると効果的である。
【００２５】
［第１発明〜第５発明］
第１発明〜第５発明の畳機能付き襖は、住宅、施設等の各種襖に適用することができ、特に、戸襖や押入襖に適用するとよい。引き戸式の襖の他、片開き・両開き式の襖や、嵌めころし式の襖に適用することもできる。
襖枠の寸法は、規格寸法をそのまま採用してもよいし、専用寸法のものを新たに設計し直してもよい。規格寸法に合わせて襖枠を設計することで、既存の襖を本発明の畳機能付き襖に取り替えることが可能になる。
入れ子板は、方形半畳サイズの他、一畳サイズにして襖枠の枠内空間に収納してもよい。
第１発明〜第５発明に本明細書に記載される他の発明を組み合わせて適用することも可能である。
【図面の簡単な説明】
【００２６】
【図１】第１実施形態の畳機能付き襖を示す分解斜視図である。
【図２】同襖の上側半分を示す部分縦断面図で、（Ａ）は襖枠に入れ子板が収納された状態、（Ｂ）は入れ子板が襖枠から外れた状態を示す図である。
【図３】第１実施形態の入れ子板を示す分解斜視図である。
【図４】第１実施形態の襖枠を示す部分斜視図である。
【図５】第１実施形態の畳機能付き襖の使用状態を示すもので、襖枠に入れ子板を収納した状態を示す斜視図である。
【図６】第１実施形態の畳機能付き襖の使用状態を示すもので、襖枠から入れ子板を取り出した状態を示す斜視図である。
【図７】第１実施形態の畳機能付き襖を示す部分拡大縦断面図である。
【図８】第２実施形態の畳機能付き襖を示す分解斜視図である。
【図９】同襖の上側半分を示す部分縦断面図で、（Ａ）は襖枠に入れ子板が収納された状態、（Ｂ）は入れ子板が襖枠から外れた状態を示す図である。
【図１０】変形例による畳機能付き襖の上側半分を示す部分縦断面図で、（Ａ）は襖枠に目隠し板が嵌った状態、（Ｂ）は襖枠から目隠し板が外れた状態を示す部分縦断面図である。
【発明を実施するための形態】
【００２７】
以下、本発明の実施形態を図面に基づいて説明する。
第１実施形態による襖１０を図１および図２に示した。襖１０は、縦長矩形の襖枠２に置き畳として使用可能な入れ子板４，４を収納するようにしたものである。
図１に示すように、襖枠２の上下中間位置に横枠材による架橋部２ａが設けられる。この架橋部２ａを挟んで上下２カ所に矩形の枠内空間Ｓ，Ｓが設けられている。襖枠２の背面側には蓋板３が固定され（図２参照）、枠内空間Ｓ，Ｓが蓋板３により塞がれている。
【００２８】
襖枠２の上下の端部には、それぞれ凸条部２ｂおよび戸車２ｃ（図７参照）が設けられる。凸条部２ｂおよび戸車２ｃが鴨居と敷居のレール溝に嵌ることで襖１０が左右に移動する。なお、図１で符号５は、襖１０を移動するための引き手である。
【００２９】
襖枠２の枠内空間Ｓ，Ｓには、半畳サイズでほぼ方形の入れ子板４，４が嵌まる。図３に示すように、入れ子板４は、適度なクッション性をもつ畳床１２にい草の畳表１３が張り合わされてなる。左右の両側端には、帯状の畳縁１４が縫い付けられる。入れ子板４の厚みは、襖枠２の枠内空間Ｓの深さ（前後幅）よりも若干薄い程度になっている。
【００３０】
畳床１２は、木製ボード等の芯材１２ａの上下に発泡樹脂材等からなる中間材１２ｂおよび底面材１２ｃが貼り合わされてなる。中間材１２ｂは、その弾力性により入れ子板４のクッション性を高める。底面材１２ｃは、入れ子板４の裏面の滑り止めの役割を果たす。
【００３１】
図１および図２に示すように、襖枠２の正面上下の縁部には上部突出片６および下部突出片７が設けられる。上部突出片６および下部突出片７は、枠内空間Ｓ，Ｓの上下に向き合って一定幅で延びる。上部突出片６と下部突出片７との間の距離Ｌ１は、入れ子板４の上下寸法Ｌ２よりも小さく、枠内空間Ｓの上下寸法は、入れ子板４の上下寸法Ｌ２よりも十分に大きく設定されている。
【００３２】
上部突出片６および下部突出片７の内側の枠内空間Ｓには、入れ子板４がけんどん構造で嵌まる。すなわち、襖枠２に入れ子板４を取り付けるときには、入れ子板４の上端を枠内空間Ｓに入れて上部突出片６の内側に差し込み、同時に入れ子板４の下端を枠内空間Ｓに入れて下部突出片７の内側に落とし込む。襖枠２から入れ子板４を取り出すときには、入れ子板４を枠内空間Ｓの上端付近まで持ち上げ、入れ子板４の下端を下部突出片７の内側から抜き出して、入れ子板４の上端を上部突出片６の内側から手前に抜き出す。
【００３３】
上部突出片６および下部突出片７は、断面Ｌ形の枠材（木材、樹脂、アルミニウム、ステンレス等）を枠内空間Ｓの横幅の長さに切断することで形成される。図２に示すように、枠材の垂直板片を襖枠２の正面に連なる位置に合わせ、水平板片を襖枠２の内側面に固定する。このように枠材を固定することで、各枠材の垂直板片の部分が上部突出片６および下部突出片７となる。
【００３４】
図４に示すように、襖枠２の正面から内側面にかけての縁部には、切り欠き８，８が設けられる。これらの切り欠き８，８は、左右ほぼ同じ高さ位置にあり、襖枠２の正面から手指を挿入可能な広さで開口している。入れ子板４を出し入れする場合には、切り欠き８，８に手指を入れて入れ子板４の側端部を両手で掴むことで、入れ子板４の出し入れの作業を簡単に行うことができる。
【００３５】
図５〜図７に襖１０を２枚の戸襖として鴨居１７と敷居１８の間に設置した例を示した。  図５に示すように、襖枠２に入れ子板４を収納した状態では、入れ子板４が起立姿勢に保たれて枠内空間Ｓを埋める（図７参照）。入れ子板４は、枠内空間Ｓの深さの範囲に収まるため、襖１０の開閉の支障になることはない。
図６に示すように、襖枠２から入れ子板４を取り出した状態では、畳表を上に向けて入れ子板４を横倒し姿勢で並べることで、入れ子板４を置き畳として用いることができる。このとき、襖枠２の枠内空間Ｓ，Ｓは、入れ子板４が取り出されても蓋板３により塞がれているので、室内空間を仕切る襖本来の機能が損なわれることはない。
【００３６】
このように襖１０によれば、置き畳として使用可能な入れ子板４を起立姿勢で襖枠２に収納することで、置き畳の収納スペースを容易に確保することができる。
入れ子板４を収納した後で置き畳が必要になれば、襖枠２から入れ子板４を直ぐに取り出すことができ、倉庫や押入を探す手間がない。
【００３７】
また、畳機能付き襖１０では、入れ子板４は、襖枠２の枠内空間Ｓにけんどん構造で収納するため、入れ子板４の出し入れが簡単で、襖１０の使用時に襖枠２から入れ子板４が脱落するのを防止することができる。
さらには、入れ子板４を置き畳として使用しているときだけでなく、襖枠２に収納しているときでも、入れ子板４の畳表を室内に向けることで、い草の香りによる効果を享受することが可能になる。
【００３８】
次に、第２実施形態の畳機能付き襖を図８および図９に示す。
第２実施形態の襖２０は、第１実施形態のけんどん構造に代えて、面ファスナを採用したものである。第２実施形態において、襖枠２、蓋板３および入れ子板４の基本的な構成は、第１実施形態の襖１０と実質的に同様である。襖枠２の上部突出片および下部突出片は設けられていない。
【００３９】
襖２０では、蓋板３と入れ子板４の隣接面に横長帯状の面ファスナが設けられる。図９に示すように、蓋板３の前面に面ファスナの一方の貼着シート２１ａが固定され、入れ子板４の裏面に他方の貼着シート２１ｂが固定される。各貼着シート２１ａ，２１ｂには、着脱可能に係合するフック部とループ部が形成される。
【００４０】
襖枠２に入れ子板４を収納する場合には、枠内空間Ｓ，Ｓに入れ子板４を起立姿勢で嵌め込むと、図９（Ａ）に示すように、面ファスナによって蓋板３の前面に置き畳の裏面が貼り付いて保持される。
襖枠２から入れ子板４を取り出す場合には、切り欠き８，８に手指を入れて入れ子板４の側端を掴んで手前側に引っ張ると、図９（Ｂ）に示すように、面ファスナが剥がれて入れ子板４が襖枠２から外れる。これにより、入れ子板４を置き畳として床に敷くことができる。
【００４１】
このように第２実施形態によっても、置き畳が必要なときには、襖枠２から入れ子板４を直ぐに取り外して床に敷き、置き畳が不要なときには、襖枠２の枠内空間Ｓに入れ子板４を収納することができる。これにより、置き畳の収納スペースに困ることがなく、倉庫や押入から置き畳を探すといった手間を解消することができる。
【００４２】
また、第２実施形態では、襖枠２の枠内空間Ｓに入れ子板４が面ファスナによって保持されるため、入れ子板４の出し入れが簡単で、襖２０の使用時に入れ子板４の脱落の心配がない。
さらに、第２実施形態では、第１実施形態の上部突出片および下部突出片に相当する部材が存在しないため、入れ子板４の収納スペースとして枠内空間Ｓを最大限に利用することができ、厚みのある置き畳を使用する場合に有利となる。
【００４３】
以上、第１実施形態および第２実施形態を説明したが、本発明の実施形態は、これらに限定されることなく、種々の変形を伴ってもよい。
例えば前記実施形態の入れ子板４は、両側端に畳縁を縫い付けた置き畳の構成としたが、畳縁を省略した縁なし畳の構成としてもよい。このような縁なし畳のい草模様を縦横交互に並べることで、高級感のある畳空間を作ることができる。
【００４４】
入れ子板４の表裏面をリバーシブルな構成としてもよい。例えば入れ子板４の表面に畳表を張り合わせ、裏面に壁紙等を施すことで、室内の雰囲気に応じて入れ子板４の表裏面を自在に切り替えて用いることが可能になる。
【００４５】
また、第１実施形態および第２実施形態では、半畳サイズの入れ子板４を採用しているが、襖枠２の枠内空間Ｓ，Ｓを上下に繋げることで、一畳サイズの入れ子板を採用することもできる。
【００４６】
さらに、図１０に示すように、襖枠の正面側に目隠し板３１を取り付ける構成としてもよい。図１０の例では、第１実施形態の襖枠２に入れ子板４と重なる目隠し板３１がけんどん構造により嵌っている（図１０（Ａ）参照）。目隠し板３１を取り外す場合は、図１０（Ｂ）に示すように、目隠し板３１を上方に持ち上げ、下部突出片７の手前に抜き出す。
【００４７】
このような構成によれば、入れ子板４の表面を目隠し板３１で覆うことで、畳表に汚れやキズが付くのを防止することができる。また、室内の雰囲気に応じて畳表や面ファスナを目隠し板３１で隠すこともできる。もちろん、目隠し板３１を外して第１実施形態と同様に使用することも可能である。
【符号の説明】
【００４８】
２    襖枠
３    蓋板
４    入れ子板
５    引き手
６    上部突出片
７    下部突出片
８    切り欠き
１０    襖（第１実施形態）
２０    襖（第２実施形態）
２１ａ，２１ｂ  貼着シート（面ファスナ）
３０    襖（変形例）
３１    目隠し板
【図１】
2011069119.tif 000003
【図２】
2011069119.tif 000004
【図３】
2011069119.tif 000005
【図４】
2011069119.tif 000006
【図５】
2011069119.tif 000007
【図６】
2011069119.tif 000008
【図７】
2011069119.tif 000009
【図８】
2011069119.tif 000010
【図９】
2011069119.tif 000011
【図１０】
2011069119.tif 000012